(57)【要約】【課題】  表示部の物理的な表示領域を気にせずに、表示画像用のスクロール操作部を配置することを可能にする。【解決手段】  表示部１３は電子機器Ａの例えばキーボード配列を表示する。スクロール操作部１９は、表示部１３の外周に沿って配置され表示された表示画像のスクロール操作を受ける。制御部２３は、キーボード配列を表示部１３に表示制御するとともに、スクロール操作部１９からのスクロール操作の操作に応じてキーボード配列をスクロール変位制御して表示部１３に表示制御する。【選択図】  図１
2008191832.tif 000002
【特許請求の範囲】
【請求項１】
画像データを表示する表示部と、
この表示部の外周に配置され前記表示部に表示された表示画像のスクロール操作を受けるスクロール操作部と、
前記画像データを前記表示部に表示制御するとともに、前記スクロール操作部からのスクロール操作に応じて前記表示部における前記画像データをスクロール変位制御する制御部と、
を具備することを特徴とする電子機器。
【請求項２】
前記スクロール操作部は、前記表示部の外周に沿って配置された入力スイッチである請求項１記載の電子機器。
【請求項３】
前記スクロール操作部は、前記表示部外周の少なくとも上下左右に配置された請求項１又は２記載の電子機器。
【請求項４】
前記表示部に重ねられ、前記表示画像に関する情報の入力を受けるパネル入力部を有する請求項１〜３いずれか１記載の電子機器。
【請求項５】
前記表示部で表示する前記入力画面はキーボードボタンである請求項４記載の電子機器。
【請求項６】
前記制御部は、操作する前記スクロール操作部の方向に前記画像データを変位制御する請求項１〜５いずれか１記載の電子機器。
【発明の詳細な説明】
【技術分野】
【０００１】
本発明は電子機器に係り、例えば携帯通信端末機や携帯用ゲーム機等のように画像表示部を有する電子機器の改良に関する。
【背景技術】
【０００２】
携帯通信端末機等のような電子機器においては、それが携帯機器であることから、画像表示部の形状や寸法が限定されたり、機器の操作ボタン等の数や配置が限定され易い。
【０００３】
そのため、画像表示部や操作ボタン等についての工夫がなされており、例えば、特開２０００−５６８７７号公報（特許文献１）はこの種の電子機器である。
【０００４】
この特許文献１は、情報入力部としてキーボードの代わりに、液晶表示パネル上に配置されたタッチパネルよりなる入力部を備え、その液晶表示パネルに、利用者により選択されたキー配列を表示し、そのタッチパネルからタッチされたキーコードをキー入力し、利用者が作成登録した任意のレイアウトのキー配列表示を可能とし、キー配列を選択自在としたタッチパネル方式のキーボードを提供するものである。
【０００５】
また、別の構成として特開２００５−７８０１６号公報（特許文献２）が提案されている。
【０００６】
この特許文献２は、表示手段の表示領域に表示された地図上に目的地を表示する地図表示装置であり、その表示手段の表示領域に、表示領域の中央から輪郭の手前までに渡り設けられた領域であって地図を表示する地図表示領域を表示させる地図表示手段と、地図表示領域の輪郭よりも外側で表示領域の輪郭よりも内側である表示部位表示領域に、目的地がその地図表示領域の範囲外に位置したときに、その地図表示領域内の予め決められた基準点から目的地方向を表す方向表示部位を表示させる表示部位表示手段とを備え、小さな表示領域であっても目的地を視認し易くしたものである。
【特許文献１】特開２０００−５６８７７号公報
【特許文献２】特開２００５−７８０１６号公報
【発明の開示】
【発明が解決しようとする課題】
【０００７】
しかしながら、上述した特許文献１では、液晶表示パネル上に様々なパターンのキーボードボタンが表示可能であるが、例えば入力し易いように個々のボタンを大きくした場合、表示できるボタン数が限定されてしまい、通常のキーボードのボタン数を表現しようとすると、表示が小さ過ぎて使用し難い難点がある。
【０００８】
他方、特許文献２では、表示手段の下部に集約配置した上下左右のスクロールボタンによって表示領域の表示地図をスクロールするから、スクロールボタンを注視して注意深くスクロールボタンを操作する必要があり、操作性を向上させるためには、更に改良の余地がある。
【０００９】
本発明はそのような課題を解決するためになされたもので、画像表示部の物理的な表示領域を気にせずにスクロール操作部を配置することが可能で、操作性を向上させることが容易な電子機器の提供を目的とする。
【課題を解決するための手段】
【００１０】
そのような課題を解決するために本発明に係る電子機器は、画像データを表示する表示部と、この表示部の外周に配置されその表示部に表示された表示画像のスクロール操作を受けるスクロール操作部と、その画像データを表示部に表示制御するとともに、そのスクロール操作部からのスクロール操作に応じて表示部における画像データをスクロール変位制御する制御部とを具備している。
【００１１】
本発明の電子機器では、上記スクロール操作部が、その表示部の外周に沿って配置された入力スイッチである構成も可能である。
【００１２】
本発明の電子機器では、上記スクロール操作部が、その表示部外周の少なくとも上下左右に配置された構成も可能である。
【００１３】
本発明の電子機器では、上記表示部に重ねられ、その表示画像に対応する情報のタッチ入力を受けるパネル入力部を有する構成も可能である。
【００１４】
本発明の電子機器では、上記表示部で表示するその入力画面はキーボードボタンである構成も可能である。
【００１５】
本発明の電子機器では、上記制御部が、操作するスクロール操作部の方向にその画像データを変位制御する構成も可能である。
【発明の効果】
【００１６】
このような本発明に係る電子機器では、表示部で画像データを表示し、表示された表示画像のスクロール操作を受けるスクロール操作部をその表示部の外周に配置し、制御部にて、その画像データを表示部に表示制御するとともにスクロール操作部からのスクロール操作に応じて表示部における画像データをスクロール変位制御するから、表示部の物理的な表示領域を気にせずにスクロール操作部を配置することが可能で、操作性も向上させることが容易である。
【００１７】
本発明の電子機器において、上記スクロール操作部が、その表示部の外周に沿って配置された入力スイッチである構成では、表示部とこのごく近傍で確実なスクロール操作が可能となり、操作性の向上がより確実であるうえ、スクロール操作部の領域を小さくできる。
【００１８】
本発明の電子機器において、上記スクロール操作部が、その表示部外周の少なくとも上下左右に配置された構成では、上記スクロール操作部がスクロール操作方向に対応するから、操作性の向上がより確実である。
【００１９】
本発明の電子機器において、その表示画像に対応する情報のタッチ入力を受けるパネル入力部を上記表示部に重ねる構成では、スクロール操作および操作入力が表示画像の近傍や表示画面上で可能となり、操作性がより向上する。
【００２０】
本発明の電子機器において、上記表示部で表示する入力画面をキーボードボタンとする構成では、種々のキーボード配列を用意することなく、入力操作性の向上が確実である。
【００２１】
本発明の電子機器において、操作するスクロール操作部の方向に上記制御部が画像データを変位制御する構成では、スクロール操作と表示画像のスクロール方向の関連が分かり易く、操作も簡単である。
【発明を実施するための最良の形態】
【００２２】
以下、本発明に係る電子機器の実施の形態を図面を参照して説明する。
【００２３】
図１は本発明に係る電子機器Ａの実施の形態を示す概略ブロック図である。
【００２４】
図１において、主制御部１は、出力部３、メモリ５、表示制御部７および入力制御部９を制御するもので、制御演算機能の主要部をなすＣＰＵやこのＣＰＵの動作ソフトウエアを格納したＲＯＭを有している。なお、主制御部１および出力部３の機能は後述する。
【００２５】
メモリ５は、主制御部１の動作プログラムを記憶する他、後述する液晶パネル部１３に表示させる画像データ、例えばキーボード配列データその他を、一時的に記憶する読み書き可能な記憶部であり、表示制御部７および入力制御部９にも接続されている。なお、キーボード配列データは、例えばＪＩＳキーボードの主要キーボードボタンである（図２参照）。
【００２６】
表示制御部７は、主制御部１およびメモリ５からのキーボード配列データやこの表示位置情報に基づき、キーボード配列データを画像処理して液晶パネル部１３で実際に表示できる表示画像データを形成して液晶表示制御部１１に出力する機能を有する。
【００２７】
液晶表示制御部１１は、表示制御部７からの表示画像データに基づき、液晶パネル部１３を制御して表示動作させる機能を有する。
【００２８】
液晶パネル部１３は、図２に示すように、図示しない機器本体の操作面に、長方形の表示面を外部に向けて配置された公知の表示部、例えば液晶ディスプレイであり、液晶表示制御部１１によって表示制御されてキーボードボタンが表示される。
【００２９】
液晶パネル部１３には、これと同形状のパネル入力部としてのタッチパネル１５が外部に向けて重ねるように配置されている。
【００３０】
タッチパネル１５は、例えば透過性シートに電極を配置した静電形タッチスイッチであり、表示されたキーボードボタン中、ジグ等によってタッチされたボタンに相当する操作入力を受付ける公知の構成および機能を有し、タッチ制御部１７に接続されている。タッチパネル１５は、液晶パネル部１３の表面側に重ねられるので、図２では峻別されていない。
【００３１】
タッチ制御部１７は、タッチパネル１５におけるタッチされたタッチ位置（キーボードボタン位置）を、タッチパネル１５の上下左右位置から算出して入力制御部９に出力するものである。
【００３２】
入力制御部９には、スクロールボタン１９がスクロール制御部２１を介して接続されている。
【００３３】
スクロールボタン１９は、図２に示すように、長方形の液晶パネル部１３の縁部４辺の外周に配置された棒状の機械的スクロールスイッチ１９ａ、１９ｂ、１９ｃ、１９ｄであり、各々独立しており、押下している期間中、オン信号が出力されるようになっている。
【００３４】
例えば、スクロールスイッチ１９ａが上方向スクロール機能、スクロールスイッチ１９ｂが左方向スクロール機能、スクロールスイッチ１９ｃが下方向スクロール機能、スクロールスイッチ１９ｄが右方向スクロール機能に割り当てられ、液晶パネル部１３の表示面とは別の枠形フレーム状に配置されている。
【００３５】
スクロール制御部２１は、各スクロールスイッチ１９ａ〜１９ｄのオン期間を検知し、それら上下左右のスクロール情報を入力制御部９に出力する機能を有している。例えば、スクロール制御部２１は、各スクロールスイッチ１９ａ〜１９ｄが押下されている期間に応じたカウント情報を上下左右のスクロール情報として入力制御部９に出力するよう形成されている。
【００３６】
入力制御部９は、メモリ５からのキーボード配列データに基づき、液晶パネル部１３に表示されている内容とタッチ位置とを割り付ける割付情報を、主制御部１に出力する機能を有している。
【００３７】
入力制御部９は、スクロール制御部２１からの上下左右のスクロール情報をメモリ５からのキーボード配列データに対応付けたスクロール対応情報を、主制御部１に出力する機能も有している。
【００３８】
主制御部１は、表示制御部７およびメモリ５を制御し、メモリ５のキーボード配列データを表示制御部７に出力制御してキーボード配列を上述したように液晶パネル部１３に表示制御するとともに、入力制御部９からのその割付情報からタッチパネル１５でタッチされた位置のキーボタン情報を算出し、このキーボタン情報を出力部３に出力する機能を有している。
【００３９】
主制御部１は、入力制御部９からのスクロール対応情報に基づき、液晶パネル部１３に表示されたキーボード配列の上下左右へのスクロール量を算出し、この算出したスクロール量に基づきスクロール変位したキーボード配列をメモリ５に記憶制御するとともに、メモリ５からそれを表示制御部７に出力制御する機能を有している。
【００４０】
しかも、主制御部１は、スクロールボタン１９のスクロールスイッチ１９ａ〜１９ｄによるスクロール操作方向に対応した方向に画像データを変位制御する機能も有している。
【００４１】
そのため、押下された上下左右のスクロールスイッチ１９ａ〜１９ｄの押下期間に応じ、押下された上下左右のいずれかの対応方向にスクロール変位したキーボード配列が液晶パネル部１３に表示される。
【００４２】
出力部３は、キーボタン情報を電子機器本体内に出力する機能を有する公知のインターフェースである。
【００４３】
次に、本発明に係る電子機器Ａの動作を簡単に説明する。なお、本発明に係るスクロール機能のみ説明する。
【００４４】
主制御部１が、メモリ５のキーボード配列データを表示制御部７に出力制御し、表示制御部７がそのキーボード配列を液晶パネル部１３に表示可能なように画像制御し、これに基づき液晶表示制御部１１が液晶パネル部１３を表示制御し、図２に示すように、例えば液晶パネル部１３にキーボードボタンが表示される。
【００４５】
表示されたキーボード配列に対し、下方スクロールボタン１９（下方スクロールスイッチ１９ｃ）を押下すると、スクロール制御部２１が、下方スクロールスイッチ１９ｃのオン期間を検知し、下方スクロール情報を入力制御部９に出力し、入力制御部９が、メモリ５からのキーボード配列データにスクロール制御部２１からの下方のスクロール情報を対応付けたスクロール対応情報を取得し、主制御部１に出力する。
【００４６】
主制御部１では、入力制御部９からのスクロール対応情報を取得に基づき、液晶パネル部１３に表示されたキーボードボタンに対し下方へのスクロール量を算出し、この算出したスクロール量に基づきスクロール変位したキーボード配列をメモリ５へ記憶制御するとともに、表示制御部７へ出力制御する。
【００４７】
そのため、スクロールボタン１９による下方スクロールの押下期間に応じて下方にスクロール変位したキーボードボタンが、図３Ａに示すように、液晶パネル部１３に表示される。
【００４８】
すなわち、主制御部１、表示制御部７、入力制御部９、液晶表示制御部１１、タッチ制御部１７およびスクロール制御部２１は、キーボード配列を液晶パネル部１３に表示制御するとともに、スクロールボタン１９からのスクロール操作に応じて液晶パネル部１３におけるキーボード配列をスクロール変位制御する制御部２３を形成している。
【００４９】
なお、図３Ｂは、左方スクロールスイッチ１９ｂを押下したとき、液晶パネル部１３に表示されたキーボードボタンである。
【００５０】
このように本発明の電子機器Ａは、キーボード配列を表示する液晶パネル部（表示部）１３と、この液晶パネル部１３の外周に沿って上下左右に配置され液晶パネル部１３に表示された表示画像のスクロール操作を受ける細長い入力スイッチであるスクロールボタン（スクロール操作部）１９と、キーボード配列を液晶パネル部１３に表示制御するとともに、スクロールボタン１９からのスクロール操作に応じて液晶パネル部１３におけるキーボード配列をスクロール変位制御する主制御部１、表示制御部７、入力制御部９、液晶表示制御部１１、タッチ制御部１７およびスクロール制御部２１（制御部２３）等を具備している。
【００５１】
そのため、液晶パネル部１３の物理的な表示領域を気にせずにスクロールボタン１９を配置することが可能で、液晶パネル部１３の外周フレーム部がスクロールボタン１９となってスクロール操作に対応し、液晶パネル部１３のごく近傍でスクロール操作が可能となるうえ、スクロールボタン１９を占める領域が広くならず小型化に寄与し、操作性の向上も確実である。
【００５２】
しかも、キーボード配列に対応する情報のタッチ入力を受けるタッチパネル１５が液晶パネル部１３に重ねられるから、スクロール操作および操作入力が表示画像の近傍および液晶パネル部１３上で可能となり、操作性がより向上する。
【００５３】
さらに、液晶パネル部１３で表示する表示画面がキーボード配列であるから、キーボードボタンを大型化して液晶パネル部１３の表示領域からはみ出しても、スクロール操作するだけで、表示およびボタン操作入力が可能となり、これらの点からも操作性が向上する。
【００５４】
また、操作するスクロールボタン１９の操作に対応した方向に画像データがスクロール変位するから、スクロール操作と表示画像のスクロール方向の関連が分かり易く、操作が簡単である。
【００５５】
ところで、本発明の電子機器Ａにおいて、表示部としての液晶パネル部１３は、長方形に限定されず、図４のように正方形や楕円形その他、任意の形状で実施可能であるし、液晶タイプに限らず、任意の扁平な表示部で実施可能である。
【００５６】
また、本発明におけるスクロール操作部としてのスクロールボタン１９は、液晶パネル部１３の周囲に配置されていれば、上述した構成に限定されない。
【００５７】
例えば、図４Ａに示すように、長方形の液晶パネル部１３上下両側にスクロールボタン１９を配置する構成や、同図Ｂに示すように、楕円形の液晶パネル部１３の外周にリング状のスクロールボタン１９を配置する構成も可能である。
【００５８】
しかも、図４Ｂに示すように、上下左右のスクロールスイッチ１９ａ〜１９ｄに加えて斜め方向のスクロールスイッチ１９ｅ、１９ｆ、１９ｇ、１９ｈを加えることにより、上下左右の方向に加えて左上、左下、右上および右下方向の８方向にスクロール可能となる。
【００５９】
さらに、表示画像のスクロール操作を受けるスクロールボタン１９は、機械的スイッチに限定されず、タッチ式スイッチ等電子的無接点スイッチからなるスクロール操作部であっても良い。
【００６０】
なお、本発明の電子機器は、携帯用通信端末機に限らず、画像表示部を有する種々の電子機器、特に携帯用の電子機器に用いて好適する。
【図面の簡単な説明】
【００６１】
【図１】本発明に係る電子機器の実施の形態を示す概略ブロック図である。
【図２】本発明に係る電子機器の表示部を示す概略構成図である。
【図３】本発明に係る電子機器の操作例を示す図である。
【図４】本発明に係る電子機器の他の構成を示す概略構成図である。
【符号の説明】
【００６２】
１  主制御部（制御部）
３  出力部
５  メモリ
７  表示制御部（制御部）
９  入力制御部（制御部）
１１  液晶表示制御部（制御部）
１３  液晶パネル部（表示部）
１３ａ  表示面
１５  タッチパネル（パネル入力部）
１７  タッチ制御部（制御部）
１９  スクロールボタン（スクロール操作部）
１９ａ、１９ｂ、１９ｃ、１９ｄ  スクロールスイッチ
２１  スクロール制御部（制御部）
２３  制御部
Ａ  電子機器
【図１】
2008191832.tif 000003
【図２】
2008191832.tif 000004
【図３】
2008191832.tif 000005
【図４】
2008191832.tif 000006